(57)【要約】【課題】  プロジェクタ全体の小型化を図り、光源部による発熱を抑える。【解決手段】  光源部５からの入射光を反射するＤＭＤ７を備える。そして、赤色光を出射する複数の赤色ＬＥＤ１１と、青色光を出射する複数の青色ＬＥＤ１２と、緑色光を出射する複数の緑色ＬＥＤ１３とを有する光源部５と、各色のＬＥＤ１１，１２，１３群が各色毎に同一円周上に沿って配置され各色のＬＥＤ１１，１２，１３群を支持する支持板１５と、この支持板１５を回転駆動するモータ１６とを有する駆動部６とを備える。【選択図】  図１
2005084301.tif 000002
【特許請求の範囲】
【請求項１】
光源部からの入射光を反射するＤＭＤを備えるプロジェクタであって、
赤色光を出射する複数の赤色発光素子と、青色光を出射する複数の青色発光素子と、緑色光を出射する複数の緑色発光素子とを有する前記光源部と、
前記各色の発光素子群が各色毎に同一円周上に沿って配置され前記各色の発光素子群を支持する支持部材と、前記支持部材を回転駆動する駆動手段とを有する駆動部と
を備えることを特徴とするプロジェクタ。
【請求項２】
前記光源部は、白色光を出射する複数の白色発光素子を有する請求項１に記載のプロジェクタ。
【請求項３】
前記支持部材には、同一円周上に沿って少なくとも６分割された各領域に、前記各色の発光素子群が順次配設されている請求項１または２に記載のプロジェクタ。
【請求項４】
前記発光素子は、発光ダイオードである請求項１ないし３のいずれか１項に記載のプロジェクタ。
【請求項５】
前記支持部材は、円盤状に形成されている請求項１ないし４のいずれか１項に記載のプロジェクタ。
【請求項６】
赤色光、青色光、緑色光に対応する３つの前記ＤＭＤと、前記各ＤＭＤに導光するための導光手段とを備える請求項１ないし５のいずれか１項に記載のプロジェクタ。
【発明の詳細な説明】
【技術分野】
【０００１】
本発明は、スクリーン等の投射面上に映像を投射するためのプロジェクタに関し、特に、ＤＭＤ（デジタル・マイクロミラー・デバイス）を備える反射型のプロジェクタに関する。
【背景技術】
【０００２】
従来、光源部からの入射光をＤＭＤによって投射レンズに反射して、投射レンズによってスクリーンや壁面等の投射面上に映像を投射する反射型のプロジェクタが知られている。
【０００３】
このような反射型のプロジェクタとしては、光源部から出射された出射光を、カラーホイールを介してＤＭＤに入射させる構成が開示されている（例えば特許文献１参照。）。
【０００４】
例えば図３に示すように、この種の従来のプロジェクタ１０１は、白色光を出射する光源部１０４と、この光源部１０４から出射された出射光を赤色光、青色光、緑色光に切り替えるためのカラーホイール１０５と、このカラーホイール１０５を回転駆動するための駆動部１０６と、光源部１０４からカラーホイール１０５を介して入射された各入射光を反射するためのＤＭＤ（デジタル・マイクロ・デバイス）１０７と、カラーホイール１０５を透過した透過光をＤＭＤ１０７に導光するための導光部材１０８と、ＤＭＤ１０７からの反射光をスクリーン等の投射面１１０上に投射するための投射レンズ１０９と、駆動部１０６およびＤＭＤ１０７を駆動制御することによって投射面１１０上に投射する映像を制御するための制御部（不図示）とを備えている。
【０００５】
光源部１０４は、ランプと、このランプを保護するランプカバーとを有している。ランプとしては、例えばハロゲンランプ、キセノンランプや、超高圧水銀ランプ等が用いられている。
【０００６】
カラーホイール１０５は、図４に示すように、円周が３分割された扇状の各領域に、赤色光を透過する赤色透過フィルタ１１１、青色光を透過する青色透過フィルタ１１２、緑色光を透過する緑色透過フィルタ１１３の順に配設されている。すなわち、カラーホイール１０５は、回転されることで、光源部１０４から出射された白色光を、各色の透過フィルタ１１１，１１２，１１３を介して、各色の透過光を導光部材１０８に順次入射させる。
【０００７】
駆動部１０６は、カラーホイール１０５を回転駆動するモータ１１６とを有している。モータ１１６は、回転軸１１８を有しており、この回転軸１１８の先端部に、カラーホイール１１５の中央部が支持されている。
【０００８】
導光部材１０８は、円柱状に形成されており、一端が、カラーホイール１０５に対向されるとともに、他端が、ＤＭＤ１０７の反射面に対向されて配置されている。
【０００９】
以上のよう構成された従来のプロジェクタ１０１では、駆動部１０６のモータ１１６によってカラーホイール１０５が回転駆動され、カラーホイール１０５の各色の透過フィルタ１１１，１１２，１１３を透過された各色の透過光が導光部材１０８によって導光されてＤＭＤ１０７にそれぞれ入射される。ＤＭＤ１０７に入射された各色の入射光は、ＤＭＤ１０７の反射面によって、各色の映像として反射されて、投射レンズ１０９を介して投射面１１０上に投射される。
【特許文献１】特開２０００−２３１０６６号公報（図１）
【発明の開示】
【発明が解決しようとする課題】
【００１０】
ところで、上述した従来のプロジェクタでは、ハロゲンランプ等を有する光源部が装置内で占める空間が比較的大きく、プロジェクタ全体の小型化を図る上で支障になっていた。
【００１１】
また、従来のプロジェクタは、光源部のハロゲンランプ等による発熱を除去する構成が必要であるため、比較的大型のモータによって冷却ファンを回転駆動する冷却機構を備えている。しかしながら、従来のプロジェクタでは、冷却ファンを回転駆動するモータが発生するノイズによって、ＤＭＤ等に悪影響が及ぼされるという不都合があった。
【００１２】
そこで、本発明は、プロジェクタ全体の小型化を図り、光源部による発熱を大幅に抑えることができるプロジェクタを提供することを目的とする。
【課題を解決するための手段】
【００１３】
上述した目的を達成するため、本発明に係るプロジェクタは、光源部からの入射光を反射するＤＭＤ（デジタル・マイクロミラー・デバイス）を備えるプロジェクタであって、
赤色光を出射する複数の赤色発光素子と、青色光を出射する複数の青色発光素子と、緑色光を出射する複数の緑色発光素子とを有する光源部と、
各色の発光素子群が各色毎に同一円周上に沿って配置され各色の発光素子群を支持する支持部材と、この支持部材を回転駆動する駆動手段とを有する駆動部とを備える。
【００１４】
以上のように構成した本発明に係るプロジェクタは、駆動部の駆動手段によって支持部材が回転駆動されることによって、支持部材に支持された各色の発光素子群が回転され、これら各色の発光素子群の回転に伴ってＤＭＤに赤色光、青色光、緑色光が順次入射される。そして、本発明のプロジェクタは、光源部が各色の発光素子を有することで、光源部が小さくされるため、プロジェクタ全体の小型化が図られるとともに、光源部による発熱量が大幅に低減される。また、本発明のプロジェクタによれば、光源部が、各色の光をそれぞれ独立して出射する赤色発光素子、青色発光素子、緑色発光素子を有することによって、色の純度が高められるため、色再現性が向上される。
【００１５】
また、本発明に係るプロジェクタは、光源部は、白色光を出射する複数の白色発光素子を有してもよい。これによって、色再現性が更に向上される。
【００１６】
また、本発明に係るプロジェクタが備える駆動部の支持部材には、同一円周上に沿って少なくとも６分割された各領域に、各色の発光素子群が順次配設されてもよい。これによって、色再現性が更に向上される。
【００１７】
また、本発明に係るプロジェクタは、赤色光、青色光、緑色光に対応する３つのＤＭＤと、各ＤＭＤに導光するための導光手段とを備える。これによって、色再現性が更に向上され、投射される映像の品位が向上される。
【発明の効果】
【００１８】
上述したように本発明に係るプロジェクタによれば、赤色光を出射する複数の赤色発光素子と、青色光を出射する複数の青色発光素子と、緑色光を出射する複数の緑色発光素子とを有する光源部と、各色の発光素子群が各色毎に同一円周上に沿って配置され各色の発光素子群を支持する支持部材と、この支持部材を回転駆動する駆動手段とを有する駆動部とを備えることによって、プロジェクタ全体の小型化を図り、光源部による発熱量を抑えることができる。また、本発明に係るプロジェクタによれば、各色の発光素子を有する光源部を備えることによって、色再現度を向上することができる。
【発明を実施するための最良の形態】
【００１９】
以下、本発明の具体的な実施形態について、図面を参照して説明する。
【００２０】
図１に示すように、プロジェクタ１は、赤色光、青色光、緑色光をそれぞれ出射する光源部５と、この光源部５を回転駆動するための駆動部６と、光源部５から入射された各入射光を反射するためのＤＭＤ（デジタル・マイクロミラー・デバイス）７と、光源部５から出射された各出射光をＤＭＤ７に導光するための導光部材８と、ＤＭＤ７からの反射光をスクリーン等の投射面１０上に投射するための投射レンズ９と、駆動部６およびＤＭＤ７を駆動制御することによって投射面１０上に投射する映像を制御するための制御部（不図示）とを備えている。
【００２１】
光源部５は、赤色光を出射するための複数の赤色ＬＥＤ（発光ダイオード）１１と、青色光を出射するための複数の青色ＬＥＤ１２と、緑色光を出射するための複数の緑色ＬＥＤ１３とを有している。
【００２２】
駆動部６は、光源部５を支持する支持板１５と、この支持板１５を回転駆動するモータ１６とを有している。
【００２３】
支持板１５は、円盤状に形成されており、導光部材８に対向する主面上に、光源部５が設けられている。支持板１５の主面上には、図２に示すように、同一円周上に沿って、赤色ＬＥＤ１１群、青色ＬＥＤ１２群、緑色ＬＥＤ１３群の順にそれぞれ設けられており、円周が３分割された各色の発光領域が一列の円環状に形成されている。
【００２４】
モータ１６は、回転軸１８を有しており、この回転軸１８の先端部に、支持板１５の中央部が支持されている。
【００２５】
導光部材８は、円柱状に形成されており、一端が、支持板１５上の発光領域に対向されるとともに、他端が、ＤＭＤ７の反射面に対向されて配置されている。この導光部材８は、光源部５の各ＬＥＤ１１，１２，１３から出射された各色の出射光をそれぞれ導光して、ＤＭＤ７の反射面にそれぞれ入射させる。
【００２６】
また、プロジェクタ１では、図示しないが、光源部５を支持する支持板１５が回転している状態で、光源部５に電気的に接続されている接続端子部を有しており、この接続端子部を介して、電力供給部から光源部５に電力が供給される。
【００２７】
なお、本実施形態のプロジェクタ１が備える光源部５は、赤色光、青色光、緑色光を出射する各ＬＥＤ１１，１２，１３を有する構成にされたが、必要に応じて、白色光を出射する白色ＬＥＤを有する構成にされてもよい。
【００２８】
また、上述した光源部５は、支持板１５の主面上に、各ＬＥＤ１１，１２，１３が、３分割されて配置されたが、必要に応じて、例えば赤色ＬＥＤ１１、青色ＬＥＤ１２、緑色ＬＥＤ１３、赤色ＬＥＤ１１、青色ＬＥＤ１２、緑色ＬＥＤ１３の順に配置されて、円周が６分割された各色の発光領域が形成されてもよい。
【００２９】
また、上述した光源部５は、支持板１５上に、各色のＬＥＤ１１，１２，１３群が一列の円環状に配置されたが、必要に応じて、各色のＬＥＤ１１，１２，１３群が複数列配置されてもよい。
【００３０】
また、プロジェクタ１は、導光部材８を備える構成にされたが、光源部５から出射された各出射光をＤＭＤ７に導光するような光学系であれば、導光部材８の代わりに例えばレンズ等を有する光学系が用いられてもよい。
【００３１】
以上のように構成されたプロジェクタ１について、投射面１０上に映像を投射する動作を説明する。
【００３２】
プロジェクタ１では、駆動部６のモータ１６によって支持板１５が回転駆動され、支持板１５上の光源部５から出射された各色の出射光が導光部材８によって導光されてＤＭＤ７にそれぞれ入射される。ＤＭＤ７に入射された各色の入射光は、ＤＭＤ７の反射面によって、各色の映像として反射されて、投射レンズ９を介して投射面１０上に投射される。
【００３３】
上述したように、プロジェクタ１は、各色のＬＥＤ１１，１２，１３を有する光源部５を備えることによって、ハロゲンランプ等を有する従来の光源部に比較して光源部が小さくなるため、プロジェクタ全体の小型化を図ることができる。
【００３４】
また、プロジェクタ１によれば、各色のＬＥＤ１１，１２，１３を有する光源部５を備えることによって、光源部５による発熱量が大幅に低減され、消費電力も小さくすることができる。このため、プロジェクタ１によれば、光源部５の発熱を除去するために比較的小型の冷却ファンを備える構成や、あるいは冷却ファンを備えない構成にすることが可能になり、冷却ファンを回転駆動するモータによる悪影響を抑えるとともに、プロジェクタ全体の小型化を図ることができる。
【００３５】
さらに、プロジェクタ１によれば、光源部５が、各色のＬＥＤ１１，１２，１３を有することによって、ＤＭＤ７に入射される各入射光の色純度が向上されるため、投射される映像の色再現性を向上することができる。
【００３６】
なお、本実施形態のプロジェクタ１は、１つのＤＭＤ７のみを備える構成にされたが、例えば赤色光、青色光、緑色光に対応する３つのＤＭＤと、これら各ＤＭＤに導光するためのプリズムを備えるように構成されてもよい。このように構成することよって、色再現性を向上し、投射される映像の品位を向上することができる。
【図面の簡単な説明】
【００３７】
【図１】本発明に係るプロジェクタを説明するための模式図である。
【図２】前記プロジェクタが備える光源部を示す平面図である。
【図３】従来のプロジェクタを説明するための模式図である。
【図４】従来のプロジェクタが備えるカラーホイールを示す平面図である。
【符号の説明】
【００３８】
１  プロジェクタ
５  光源部
６  駆動部
７  ＤＭＤ
８  導光部材
９  投射レンズ
１０  投射面
１１  赤色ＬＥＤ
１２  青色ＬＥＤ
１３  緑色ＬＥＤ
１５  支持板
１６  モータ
１８  回転軸
【図１】
2005084301.tif 000003
【図２】
2005084301.tif 000004
【図３】
2005084301.tif 000005
【図４】
2005084301.tif 000006